(57)【特許請求の範囲】
【請求項１】
被験者の鼻息を付着させるための鼻息板と、前記鼻息板の側部に固定され、前記鼻息板の表面に付着した鼻息像を撮影する複数の撮像部と、を備える鼻息検査装置。
【請求項２】
前記撮像部は前記鼻息板の鼻位置に対し左右両側に設けられていることを特徴とする請求項１記載の鼻息検査装置。
【請求項３】
被験者の鼻と前記鼻息板との位置を適正な位置に合わせるための目印手段を備えることを特徴とする請求項１または２の何れかに記載の鼻息検査装置。
【請求項４】
被験者の鼻息を付着させるための鼻息板と、前記鼻息板の側部に固定され、前記鼻息板の表面に付着した鼻息像を撮影する撮像部と、前記鼻息板の先端に取り付けられ、被験者の鼻と前記鼻息板との位置を適正な位置に合わせるための目印手段である画像表示部と、を備える鼻息検査装置。
【請求項５】
前記撮像部で撮影した鼻息像のデータに基づき画像処理を行う画像処理部を備えることを特徴とする請求項１〜４の何れか一項に記載の鼻息検査装置。
【請求項６】
前記画像処理部で処理されたデータを記録媒体へ記録しておく画像記録部を備えることを特徴とする請求項５に記載の鼻息検査装置。
【請求項７】
前記撮像部で撮影した鼻息像のデータを外部の電子機器へ送信する通信部を備えることを特徴とする請求項１〜４の何れか一項に記載の鼻息検査装置。
【請求項８】
前記撮像部で撮影した鼻息像のデータを記録媒体へ記録しておく画像記録部を備えることを特徴とする請求項１〜４の何れか一項に記載の鼻息検査装置。
【発明の詳細な説明】
【技術分野】
【０００１】
本発明は、鼻閉塞の状態を評価するための鼻息検査で用いられる鼻息検査装置に関する。
【背景技術】
【０００２】
鼻咽腔閉鎖機能等の評価のために、ステンレス等の金属板からなるいわゆる鼻息鏡がよく用いられる。この鼻息鏡は、患者が鼻の下に鼻息鏡を当ててから、患者が鼻息を板の表面に噴き出すことで板の表面が曇り、この曇り具合をもとに鼻の通気具合を確認するものである。この鼻息鏡は携帯性に優れ、検査を簡単に行うことができるため、現在でも医療現場において広く使用されている。
【０００３】
しかしながら、この鼻息鏡は、金属板に付着した鼻息の曇りが消失しやすいため、鼻息の測定による診断が主観的になりやすく、また鼻息の定量的な分析を行うことが難しい等、種々の問題点も従来から指摘されている。
【０００４】
そこで、このような鼻息鏡の問題を解決するために、特許文献１や特許文献２に記載されている鼻息を検査するための鼻息検査装置も提案されている。これらの鼻息検査装置は、患者が板の表面に鼻息を噴き出し、この付着した鼻息の様子をカメラで撮影し、撮影した鼻息画像について記録、解析を行っている。
【先行技術文献】
【特許文献】
【０００５】
【特許文献１】特開平１０−０８０４１５号公報
【特許文献２】特開２０００−１２６１５7号公報
【発明の概要】
【発明が解決しようとする課題】
【０００６】
ところで、鼻息検査に限らず医療現場において行われる様々な検査の際の問題の一つに、３〜４歳程度の小さな子供は、検査で用いる検査装置が大きくなると、それだけで恐怖を感じてしまい、検査を嫌がるため、検査がうまく行えないという課題がある。
【０００７】
小さな子供が大きな検査装置を恐れてしまうという問題は、当然ながら鼻息検査を行う際にも同じことが言える。また、鼻息検査を実施する主な患者は、３〜４歳くらいの小さな子供である。
【０００８】
特許文献１、２に開示されている鼻息検査装置は、透明な鼻息板の下方にハーフミラーのような光学系やカメラが位置するため、検査装置が大型化してしまう。そのため、このような鼻息検査装置では、小さな子供が恐怖を感じ、検査をうまく行うことができない。
【０００９】
また、特許文献１の図１に示されているような据え置き型の鼻息検査装置の場合、小さな子供が検査を恐れる傾向はより顕著となり、鼻息検査装置に近づくと検査を行うことを拒否してしまうことが多くなる。
【００１０】
以上のように、特許文献１及び特許文献２に開示されている鼻息検査装置は、主な検査の対象者である小さな子供のことについて、何も配慮がなされていない。そのため、現実には、このような鼻息検査装置は普及しておらず、医療現場では鼻息検査の際に鼻息鏡が現在でも広く使用されている。
【００１１】
また、特許文献１及び特許文献２に開示されている鼻息検査装置のように、下側から鼻息の様子を撮影する構成だと、鼻息をきれいに撮影するためには、鼻息板が透明な方が好ましい。しかし、鼻息板が透明な場合、鼻や顔も鮮明にカメラに写り込んでしまい、鼻や顔が邪魔になってしまう。そして、鼻息画像についての解析を行う上では鼻や顔が処理の邪魔になってしまうという問題点もある。
【００１２】
本発明は、上記問題点を解決することを課題とし、小さな子供に対する鼻息の検査に用いたとしても、鼻息の検査をスムーズに行うことのできる鼻息検査装置を提供することを目的とする。
【課題を解決するための手段】
【００１３】
上記課題を解決するため、本発明の一つの態様に係る鼻息検査装置は、被験者の鼻息を付着させるための鼻息板と、前記鼻息板の側部に固定され、前記鼻息板の表面に付着した鼻息像を撮影する複数の撮像部と、を備えることを特徴とする。
【００１５】
また、本発明の他の態様に係る鼻息検査装置は、前記撮像部は前記鼻息板の鼻位置に対し左右両側に設けられていることを特徴とする。
【００１６】
また、本発明の他の態様に係る鼻息検査装置は、被験者の鼻と前記鼻息板との位置を適正な位置に合わせるための目印手段を備えることを特徴とする。
【００１７】
また、本発明の他の態様に係る鼻息検査装置は、被験者の鼻息を付着させるための鼻息板と、前記鼻息板の側部に固定され、前記鼻息板の表面に付着した鼻息像を撮影する撮像部と、前記鼻息板の先端に取り付けられ、被験者の鼻と前記鼻息板との位置を適正な位置に合わせるための目印手段である画像表示部と、を備えることを特徴とする。
【００１８】
また、本発明の他の態様に係る鼻息検査装置は、前記撮像部で撮影した鼻息像のデータに基づき画像処理を行う画像処理部を備えることを特徴とする。
【００１９】
また、本発明の他の態様に係る鼻息検査装置は、前記画像処理部で処理されたデータを記録媒体へ記録しておく画像記録部を備えることを特徴とする。
【００２０】
また、本発明の他の態様に係る鼻息検査装置は、前記撮像部で撮影した鼻息像のデータを外部の電子機器へ送信する通信部を備えることを特徴とする。
【００２１】
また、本発明の他の態様に係る鼻息検査装置は、前記撮像部で撮影した鼻息像のデータを記録媒体へ記録しておく画像記録部を備えることを特徴とする。
【発明の効果】
【００２２】
本発明の態様のような鼻息検査装置によれば、鼻息板の表面に付着した鼻息を、余計な光学系部材を介することなく直接撮影することができ、検査装置の大型化を防ぐことができる。そして小型化された鼻息検査装置により、小さな子供に対する鼻息の検査を行う際、子供が検査を恐れることなく鼻息の検査をスムーズに行うことができる。また、側方から鼻息板を撮影するので、被験者の鼻や顔が邪魔にならず、鼻息像を正確に撮影することができ、鼻息像の解析を行う際にも、被験者の鼻や顔が画像処理の邪魔にならない。
【図面の簡単な説明】
【００２３】
【図１】（Ａ）は本発明の第一実施形態の鼻息検査装置の斜め正面からの斜視図であり、（Ｂ）は鼻息検査装置１の側面図である。
【図２】本発明の第一実施形態の鼻息検査装置のブロック図である。
【図３】本発明の第一実施形態の鼻息検査装置において作成された合成画像と、解析された解析画像の一例である。
【図４】本発明の第二実施形態の鼻息検査装置のブロック図である。
【発明を実施するための形態】
【００２４】
以下、本発明の具体例を図面を用いて詳細に説明する。但し、以下に示す実施形態は、本発明の技術的思想を具体化するための鼻息検査装置を例示するものであって、本発明をこの鼻息検査装置に特定することを意図するものではなく、特許請求の範囲に含まれるその他の実施形態の鼻息検査装置にも等しく適応し得るものである。
【００２５】
［実施形態１］
図１、２を参照して、実施形態１に係る鼻息検査装置１について説明する。図１（Ａ）は鼻息検査装置１の斜め正面からの斜視図であり、図１（Ｂ）は鼻息検査装置１の側面図である。また、図２は鼻息検査装置１のブロック図である。
【００２６】
鼻息検査装置１は、患者である被験者Ｓが直接手に持って使用されるものであり、図１に示すように、被験者Ｓの鼻Ｎの下に置いて、後述する鼻息板１０に鼻息を噴出して、表面に付着した水滴による曇り具合を確認するものである。この鼻息検査装置１は、鼻息板１０と、鼻息板１０の左右両側に取り付けられた撮像部１１（１１ａ、１１ｂ）と、鼻息板１０の前方（被験者Ｓとは反対側）に取り付けられた表示部１２と、鼻息板１０の裏面側前方に取り付けられた本体部１３と、を備えている。
【００２７】
鼻息板１０は、矩形状のステンレス製の板からなるものであり、鼻息検査の際に一般的に用いられているいわゆる鼻息鏡とほぼ同様のものである。鼻息板１０の左右方向の幅は、図１に示すように、人の顔の幅程度である。また、鼻息板１０の表面には、目盛りとなる半円状の印や放射状の線が刻印されている。
【００２８】
撮像部１１は、鼻息板１０の表面に付着した鼻息像を一定時間連続して撮影し、鼻息画像を取得する小型のビデオカメラである。撮像部１１は、鼻息板１０の左右の両側部にそれぞれ固定されている。そして、撮像部１１は、左右それぞれの方向から、鼻息板１０の表面に対して仰角が１０〜２０°前後の斜め上方から鼻息板１０の表面を撮影する。なお、被験者Ｓから見て右側に撮像部１１ａが、被験者Ｓから見て左側に撮像部１１ｂが固定されている。そして、撮像部１１ａ、１１ｂの固定は、接着剤やネジ等を用いて行われており、鼻息板１０から容易に取り外せない固定手段であれば何れの固定方法でも構わない。
【００２９】
表示部１２は、画面サイズが小さな小型液晶ディスプレイ等の表示デバイスである。この表示部１２は、表示されている内容が被験者Ｓによって視認できるよう、被験者Ｓの正面に位置しており、鼻息板１０の前方に固定されている。表示部１２の固定も、接着剤やネジ等を用いて行われており、鼻息板１０から容易に取り外せない固定手段であれば何れの固定方法でも構わない。なお、表示部１２は、鼻息検査装置１において必ずしも必要な構成というものではない。したがって、例えば、軽量な鼻息検査装置１を実現したいような場合には、鼻息検査装置１が表示部１２を備えない構成でもよい。また、図１（Ａ）において、鼻息板１０を分かり易くするため、表示部１２を点線で示している。
【００３０】
本体部１３は、図１（Ｂ）に示すように、箱状の筐体に収納された状態で、鼻息板１０の裏面側に接着剤やネジ等を用いて取り付けられている。そして、本体部１３は、制御部１４と画像記録部１５とを備えている。なお、特に図示していないが、本体部１３には、撮像部１１や表示部１２等を駆動するために、電池等の電源部を備えている。
【００３１】
この制御部１４は、鼻息検査装置１を構成する撮像部１１ａ、１１ｂや表示部１２の動作を制御するとともに、二つの撮像部１１ａ、１１ｂで撮影した鼻息板１０表面の鼻息像の画像をもとにした画像処理を行う画像処理部１６を備えて構成されている。
【００３２】
また、この画像処理部１６は、画像合成部１７と画像解析部１８を備えて構成されている。画像合成部１７は、二つの撮像部１１ａ、１１ｂで撮影した画像データを、配線等を介して取得し、二つの画像を合成した合成画像の作成を行う。また、画像解析部１８は、画像合成部１７で作成された合成画像をもとに画像解析を行い、被験者Ｓの鼻息像に関する種々な情報を取得する。
【００３３】
ここで、画像合成部１７において作成された合成画像の具体例及び、画像解析部１８における具体例を、実際の画像を用いて説明する。図３は画像合成部１７において作成された合成画像ＣＰと、画像解析部１８において行われた解析画像ＡＰの一例である。
【００３４】
まず、被験者Ｓから見て右側に位置する撮像部１１ａと、被験者Ｓから見て左側に位置する撮像部１１ｂからそれぞれ鼻息板１０の表面を撮影した画像データ（右側画像ＲＰ、左側画像ＬＰ）を取得する。
【００３５】
ところで、鼻息板１０の表面に形成された鼻息画像を記録しておく場合、一つの撮像部１１で撮影した一方向からの画像を記録しておく構成でも構わない。しかしながら、鼻息板１０の表面を近接固定された撮像部１１で、斜め方向からの撮影を行うと、鼻息板１０の画像は長方形に写らないため、射影変換によって鼻息板１０の画像を長方形に変形する。このとき、引き伸ばす側の空間解像度が低いため、ぼけた画像になってしまう。また、図３に示すように、撮像部の前側Ｆに焦点があっていると、被写界深度が浅いため、どうしても後側Ｒになる程焦点があわず、ぼけた画像になってしまう。このような画像では、鼻息画像を用いた診断を行う際に、正確な診断が難しくなる。
【００３６】
そこで、鼻息検査装置１では、図３に示した上の２図（右側画像ＲＰ、左側画像ＬＰ）で、鼻息画像（右側画像ＲＰの鼻息画像ＲＩ、左側画像ＬＰの鼻息画像ＬＩ）がぼけてしまっているそれぞれの箇所を判別し易くするため、画像合成部１７で図３に示すような、右側画像ＲＰ、左側画像ＬＰの画像を射影変換によって鼻息板１０を真上方向からみたような長方形状の画像に変形するとともに、また、変形だけでは右側画像、左側画像はその一部にぼけた領域を含むため，これら変形した画像を後述のＭＡＰ推定等により合成することによって、全体としてぼけのない全焦点の合成画像ＣＰの作成を行っている。
【００３７】
このような合成画像ＣＰを作成することで、鼻息板１０の表面全体で、ぼけの少ない鼻息画像ＣＩを取得することができる。そして、このような合成画像ＣＰを記録しておくことで、鼻息の正確な広がり具合など簡単に知ることでき、より正確な診断を行うことが可能になる。
【００３８】
なお、焦点位置の異なる斜め方向からの画像を複数用いて、真上からみたような全焦点の合成画像ＣＰを作成する画像処理の方法は、様々な方法が知られており、公知の技術を用いて作成することができる。例えば、斜め方向からの画像を真上からみたような画像へ変換する方法としては、いわゆる斜め補正技術（射影変換）を用いることができる。また、焦点の異なる画像から、全焦点画像を作成する方法としては、例えば、特開２００１−３３３３２４号公報や特開２００１−３４４５９９号公報の中に記載されているような方法等を用いることができる。また、合成画像ＣＰを作成する方法として、ぼけのある複数の画像から、ぼけのない画像を作成するいわゆる画像復元の技術を用いたり、ぼけのある複数の画像をＭＡＰ（Maximum A Posteriori）推定により再構成処理を行ってもよい。
【００３９】
また、本実施形態においては、二つの撮像部１１ａ、１１ｂを用いているが、例えば、鼻息板１０の４つの角にそれぞれ撮像部を設け、４つの画像データをもとに合成画像ＣＰを作成する構成でもよい。このように複数の画像データをもとに合成画像ＣＰを作成することで、より精密な合成画像ＣＰを取得することができる。なお、側方に配置する撮像部１１は、左右側だけでなく前方に配置しても構わない。
【００４０】
つぎに、画像合成部１７で作成された合成画像ＣＰのデータをもとに、画像解析部１８において、鼻息板１０上の鼻息画像に関する画像解析を行う。このような鼻息画像の画像解析は、鼻息の診断で重要となる、鼻息像の形状、面積、時間的・空間的変化の様子等のデータを取得する目的で行う。
【００４１】
具体的には、画像解析部１８において、合成画像ＣＰをもとに、鼻息像の濃淡を検出し、この濃淡の分布を画像解析するとともに、例えばカラー表示して図３に示す解析画像ＡＰを作成した。そして、この解析画像ＡＰを作成することで、鼻息像の形状、面積、変化の様子等の客観的な数値データを簡単に取得することができる。
【００４２】
なお、図３の解析画像ＡＰにおいて、白枠で囲った領域は鼻息像が分布している領域であり、Ａで示すあたりは比較的鼻息の濃い領域であり、Ｂで示すあたりは比較的鼻息の薄い領域となっている。
【００４３】
そして、画像合成部１７で作成した合成画像ＣＰや、画像解析部１８で解析した解析画像ＡＰや数値データ等は、画像記録部１５に記録されことになる。この画像記録部１５は、本体部１３から取り外し可能なＳＤカードやＵＳＢメモリ等の記録媒体で構成されている。そして、合成画像ＣＰ等が記録された画像記録部１５を本体部１３から取り外すことで、鼻息検査装置１から切り離して、合成画像ＣＰ等のデータを利用できる構成になっている。
【００４４】
なお、鼻息検査装置１は、画像記録部１５に合成画像ＣＰや解析画像ＡＰを記録しているが、撮像部１１ａ、１１ｂで撮影した元の画像データも画像記録部１５で記録しておく構成でも構わない。
【００４５】
このように、本実施形態の鼻息検査装置１は、鼻息板１０の側方に撮像部１１ａ、１１ｂを備える構成となっている。したがって、鼻息板１０の表面に付着した被験者Ｓの鼻息を、余計な光学系部材を介することなく直接撮影することができ、検査装置が大型化することを防ぐことができる。そして、このような小型の鼻息検査装置１を用いることで、小さな子供に対して鼻息の検査を行う際にも、子供へ与える恐怖心を抑え、鼻息の検査をスムーズに行うことが可能になる。また、撮影した鼻息画像を記録しておくことで、従来の鼻息鏡のような鼻息像の消失による診断の困難性という問題も解決することができる。
【００４６】
更には、側方から鼻息板１０を撮影する構成なので、鼻息像と被験者Ｓの鼻や顔とは重ならず、鼻息画像の解析を行う際にも、被験者Ｓの鼻や顔が処理の邪魔にならない。
【００４７】
また、撮像部１１が鼻息板１０の裏側には存在しないため、撮像部１１が被験者Ｓの唇や顎と接触し鼻息板１０が不意に動いてしまうようなことはなく、検査中、鼻息板１０の位置を安定して保持しておくことができる。このことは、同じ態勢を維持しておくことが難しい小さな子供にとっては、非常に効果的である。
【００４８】
また、本実施形態の鼻息検査装置１は、鼻息板１０の鼻位置に対して左右両端に撮像部１１ａ、１１ｂをそれぞれ備える構成となっている。したがって、二つの画像を得ることができるため、二つの画像データをもとに画像処理を行うことで、鼻息板１０を真上方向からみたような全焦点の合成画像ＣＰを簡単に作成することができる。
【００４９】
そして、鼻息板１０の左右にそれぞれ撮像部１１が配置される構成なので、鼻息検査装置１の左右のバランスを保つことができ、力のない小さな子供が鼻息検査装置１を手に持って検査を行う場合にも、鼻の下の検査位置に対して鼻息検査装置１を安定して保持しておくことができる。
【００５０】
また、本実施形態の鼻息検査装置１は、鼻息板１０の前方に表示部１２を備える構成になっている。ところで、従来から行われている鼻息鏡による鼻息検査では、被験者の鼻に対する鼻息鏡の位置や角度は非常に重要な要素になっている。これは、鼻息鏡が少しでも傾いていたりするだけでも、鼻息鏡に付着する鼻息像の形状が大きく変化してしまうからである。このような点でも、従来から行われている鼻息鏡による鼻息検査は、検査を簡単に行うことができる一方で、診断する上での問題となっていた。
【００５１】
しかしながら、本実施形態の鼻息検査装置１では、鼻息板１０の前方に取り付けられた表示部１２が、被験者Ｓの鼻と鼻息板１０との位置を適正な位置に合わせるための目印手段を構成している。例えば、撮像部１１で撮影した画像と、位置合わせの目印を表示部１２に重ねて表示することで、被験者Ｓが鼻と鼻息板１０との位置を調整し、位置合せを簡単に行うことができるようになっている。また、目印の方法としては、表示部１２の角度を調整しておき、表示部１２に表示された画像を正確にみることができる位置が、鼻と鼻息板１０との位置が適正な位置になっている、というようなものでもよい。
【００５２】
また、鼻息検査装置１では、目印手段を表示部１２で構成しているので、例えば、同じ体勢を維持することが難しい小さな子供に対して、アニメーションや人気キャラクターを表示することで、位置合せの際の目印とともに、その位置を安定して保持しておくことが可能になる。また、鼻息検査装置１では、表示部１２に検査の手順を表示したりすることも簡単に行うことができる。
【００５３】
また、本実施形態の鼻息検査装置１では、画像記録部１５と画像処理部１６とを備えた構成となっている。したがって、鼻息検査装置１において、撮像部１１を介して取得した画像データを用いて、合成画像ＣＰを形成したり、画像の解析を行ったりすることができ、更にそれらのデータを画像記録部１５において記録しておくことができる。そして、画像記録部１５を鼻息検査装置１から着脱できるようにすることで、画像記録部１５に記録されたデータを他の電子機器にて簡単に再現することができるようになる。
【００５４】
なお、鼻息検査装置１は、画像処理部１６のみを備え、図示しない通信部を介して各種データを他の電子機器に送信し、他の電子機器側で記録しておく構成でもよい。また、鼻息検査装置１は、画像記録部１５のみを備え、撮像部１１からの画像データを画像記録部１５に記録しておき、図示しない通信部を介して画像データを他の電子機器に送信し、他の電子機器側で画像処理を行う構成でもよい。
【００５５】
［実施形態２］
次に実施形態１と異なる鼻息検査装置１Ａについて、図４を参照して説明する。図４は鼻息検査装置１Ａのブロック図である。なお、実施形態１の鼻息検査装置１と同様の構成については同じ符号を付しており、詳細な説明を省略する。
【００５６】
鼻息検査装置１Ａは、鼻息検査装置１と同様に、患者である被験者Ｓが直接手に持って使用されるものである。また、鼻息検査装置１Ａは、鼻息板１０と、鼻息板１０の鼻位置に対して左右両側に取り付けられたカメラからなる撮像部１１ａ、１１ｂと、鼻息板１０の前方に取り付けられた表示部１２と、鼻息板１０の裏面側に取り付けられた本体部１３Ａと、を備えている。
【００５７】
この本体部１３Ａは、箱状の筐体に収納された状態で、鼻息板１０の裏面側に取り付けられている。そして、本体部１３Ａは、制御部１４Ａと通信部１９とを備えている。なお、特に図示していないが、本体部１３Ａには、撮像部１１や表示部１２等を駆動するために、電池等の電源部を備えている。
【００５８】
この制御部１４Ａは、鼻息検査装置１を構成する撮像部１１ａ、１１ｂや表示部１２、通信部１９の動作を制御するものであり、また二つの撮像部１１ａ、１１ｂで撮影した鼻息板１０表面の鼻息像の画像データを一時的に格納しておくメモリ等を備えている。
【００５９】
通信部１９は、ケーブルを用いた有線通信や、無線通信や赤外線通信などの非接触通信からなり、図示しない外部の電子機器に対して撮像部１１で撮影した画像データの送信を行う。
【００６０】
本実施形態の鼻息検査装置１Ａは、鼻息検査装置１と同様に、鼻息板１０の側方に撮像部１１ａ、１１ｂを備える構成であり、鼻息板１０の左右両端に撮像部１１ａ、１１ｂをそれぞれ備える構成であり、鼻息板１０の前方に表示部１２が取り付けられている構成である。
【００６１】
また、本実施形態の鼻息検査装置１Ａは、鼻息検査装置１と異なり、通信部１９を備える構成となっている。したがって、撮像部１１ａ、１１ｂで撮影した鼻息画像のデータを、通信部１９を介して外部の電子機器へ同時に送信し、外部の電子機器側でより高度な解析等を検査と平行して行うことができる。
【００６２】
また、本体部１３Ａを鼻息検査装置１の本体部１３に比べより小型化することができるため、鼻息検査装置１Ａをより軽量化することができ、特に小さな子供に対する検査をよりスムーズに行うことができる。
【００６３】
なお、実施形態１、実施形態２において、鼻息検査装置は被験者Ｓが直接手に持って使用されるものであったが、本発明の鼻息検査装置は据え置き型の鼻息検査装置にも適用することができる。しかしながら、先にも述べたように、据え置き型の検査装置は、小さな子供が検査を恐れる傾向がより顕著となるため、好ましくは手に持って使用する鼻息検査装置であることが好ましい。
【００６４】
また、鼻息検査装置を用いた検査の際に、鼻息板１０に鮮明な鼻息像が形成されないこともある。そのため、鼻息像の撮影に失敗した場合、鼻息検査装置は、再度被験者Ｓに鼻息を噴出するよう指示を行う報知手段を備える構成でもよい。
【符号の説明】
【００６５】
１、１Ａ・・・鼻息検査装置
１０・・・鼻息板
１１、１１ａ、１１ｂ・・・撮像部
１２・・・表示部
１３、１３Ａ・・・本体部
１４、１４Ａ・・・制御部
１５・・・画像記録部
１６・・・画像処理部
１７・・・画像合成部
１８・・・画像解析部
１９・・・通信部
【要約】
【課題】小さな子供に対する鼻息の検査に用いたとしても、鼻息の検査をスムーズに行うことのできる鼻息検査装置を提供することを目的とする。
【解決手段】鼻息検査装置１は、鼻息板１０の側方に撮像部１１ａ、１１ｂを備える構成とすることで、鼻息板１０の表面に付着した被験者Ｓの鼻息を、余計な光学系部材を介することなく直接撮影することができ、検査装置が大型化することを防ぐことができ、また、小型の鼻息検査装置１を実現することで、小さな子供への恐怖心を抑え、鼻息の検査をスムーズに行うことができる。
【選択図】図１【図１】
0005540393.tif 000002
【図２】
0005540393.tif 000003
【図４】
0005540393.tif 000004
【図３】
0005540393.tif 000005